(57)【要約】  食品の包装容器（３０、４０）向きの包装用積層物（２０）であって、この包装用積層物（２０）はポリプロピレンを基材としたヒートシール性の外層（１３）と、紙または板紙を基材とした本体層（１１）と、アルミニウムのガスバリヤー層（１４）と、ポリプロピレンを基材としたヒートシール性の内層（１２）を含む内側とを含む。このポリプロピレンを基材としたヒートシール性の内層（１２）は、線状低密度ポリエチレン（１５）とエチレン（メタ）アクリル酸共重合体またはその他の酸重合体（１６）の複数中間層によって、前記のアルミニウムのガスバリヤー層（１４）に結合されており、前記のエチレン（メタ）アクリル酸共重合体またはその他の酸重合体（１６）が前記のアルミニウムのガスバリヤー層（１４）に直接に結合されている。本発明はまた、包装用積層物（２０）の内側を形成することを意図したフィルム（１０）、包装用積層物の製造方法、および包装用積層物から形成された包装容器（３０、４０）に関する。
2008525224.tif 000002
【特許請求の範囲】
【請求項１】
ポリプロピレンを基材としたヒートシール性の外層（１３）と、紙または板紙を基材とした本体層（１１）と、アルミニウムのガスバリヤー層（１４）と、ポリプロピレンを基材としたヒートシール性の内層（１２）を含む内側とを含む、食品の包装容器（３０、４０）向きの包装用積層物（２０）であって、前記のポリプロピレンを基材としたヒートシール性の内層（１２）が、線状低密度ポリエチレン（１５）とエチレン（メタ）アクリル酸共重合体またはその他の酸重合体（１６）の複数中間層によって、前記のアルミニウムのガスバリヤー層（１４）に結合されており、前記のエチレン（メタ）アクリル酸共重合体またはその他の酸重合体（１６）が前記のアルミニウムのガスバリヤー層（１４）に直接に結合されている、ことを特徴とする前記包装用積層物。
【請求項２】
前記の線状低密度ポリエチレンの層（１５）が前記のポリプロピレンを基材としたヒートシール性の内層（１２）に直接に結合されていることを特徴とする、請求項１の包装用積層物。
【請求項３】
前記の線状低密度ポリエチレンの層（１５）がメタロセン線状低密度ポリエチレンの層であることを特徴とする、請求項１または２の包装用積層物。
【請求項４】
前記の線状低密度ポリエチレンの層（１５）がエンハンスド線状低密度ポリエチレンの層であることを特徴とする、請求項１または２の包装用積層物。
【請求項５】
前記の線状低密度ポリエチレンの層（１５）が前記のエチレン（メタ）アクリル酸共重合体またはその他の酸重合体の層（１６）に直接に結合されていることを特徴とする、請求項１〜４のいずれか一項の包装用積層物。
【請求項６】
前記のエチレン（メタ）アクリル酸共重合体またはその他の酸重合体の層（１６）が２〜２０μｍ、好ましくは３〜１２μｍ、より好ましくは４〜８μｍの厚さを有することを特徴とする、請求項１〜５のいずれか一項の包装用積層物。
【請求項７】
前記のエチレン（メタ）アクリル酸共重合体またはその他の酸重合体の層（１６）と前記の線状低密度ポリエチレンの層（１５）と前記のポリプロピレンを基材としたヒートシール性の内層１２との全厚が１０〜１００μｍ、好ましくは１５〜６０μｍ、より好ましくは２０〜４０μｍであることを特徴とする、請求項１〜６のいずれか一項の包装用積層物。
【請求項８】
前記のポリプロピレンを基材としたヒートシール性の内層１２が前記全厚の１０〜７０％、好ましくは１５〜６０％、より好ましくは２５〜５０％の厚さを有することを特徴とする、請求項７の包装用積層物。
【請求項９】
ポリプロピレンを基材としたヒートシール性の外層（１３）と紙または板紙を基材とした本体層（１１）とアルミニウムのガスバリヤー層（１４）とを含む食品包装容器（３０、４０）向き包装用積層物（２０）の内側を形成することを意図したフィルム（１０）であって、前記フィルム（１０）の中では順にポリプロピレンを基材としたヒートシール性の層（１２）に直接に結合されている線状低密度ポリエチレンの層（１５）にエチレン（メタ）アクリル酸共重合体またはその他の酸重合体の層（１６）が直接に結合されていることを特徴とする、前記フィルム（１０）。
【請求項１０】
前記の線状低密度ポリエチレンの層（１５）がメタロセン線状低密度ポリエチレンの層であることを特徴とする、請求項９のフィルム（１０）。
【請求項１１】
前記の線状低密度ポリエチレンの層（１５）がエンハンスド線状低密度ポリエチレンの層であることを特徴とする、請求項９のフィルム（１０）。
【請求項１２】
前記のエチレン（メタ）アクリル酸共重合体またはその他の酸重合体の層（１６）が２〜２０μｍ、好ましくは３〜１２μｍ、より好ましくは４〜８μｍの厚さを有することを特徴とする、請求項９〜１１のいずれか一項のフィルム（１０）。
【請求項１３】
前記のエチレン（メタ）アクリル酸共重合体またはその他の酸重合体の層（１６）と前記の線状低密度ポリエチレンの層（１５）と前記のポリプロピレンを基材としたヒートシール性の層（１２）との全厚が１０〜１００μｍ、好ましくは１５〜６０μｍ、より好ましくは２０〜４０μｍであることを特徴とする、請求項９〜１２のいずれか一項のフィルム（１０）。
【請求項１４】
前記のポリプロピレンを基材としたヒートシール性の層（１２）が前記全厚の１０〜７０％、好ましくは１５〜６０％、より好ましくは２５〜５０％の厚さを有することを特徴とする、請求項１３のフィルム（１０）。
【請求項１５】
請求項１〜８のいずれか一項の包装用積層物（２０）から形成された容器本体を有することを特徴とする、食品を閉じ込める包装容器（３０、４０）。
【請求項１６】
容器本体にヒートシールされているプラスチックトップ（４４）を有し、該プラスチックトップが好ましくは、ポリプロピレンを基材とした外層と開口装置（４６）を有することを特徴とする、請求項１５の包装容器（４０）。
【請求項１７】
前記包装用積層物からレンガ形状に折畳み成形され、前記食品を熱間充填され、そしてシール（３３ａ、３３ｂ）されていることを特徴とする、請求項１５の包装容器（３０）。
【請求項１８】
請求項１〜８のいずれか一項の包装用積層物を製造する方法であって、前記のポリプロピレンを基材としたヒートシール性の層（１２）と前記の線状低密度ポリエチレンの層（１５）と前記のエチレン（メタ）アクリル酸共重合体またはその他の酸重合体の層（１６）とを含む予め製造されたフィルム（１０）が前記のアルミニウムのガスバリヤー層（１４）に耐久的に接合されることを特徴とする前記方法。
【請求項１９】
前記フィルム（１０）は、前記の紙または板紙を基材とした本体層（１１）が中間ラミネート層（１７）の押出によって前記のアルミニウムのガスバリヤー層（１４）に接合されるのと同じニップの中で、前記のアルミニウムのガスバリヤー層（１４）に接合されることを特徴とする、請求項１８の方法。
【請求項２０】
請求項１〜８のいずれか一項の包装用積層物（２０）を製造する方法であって、前記のポリプロピレンを基材としたヒートシール性の層（１２）、前記の線状低密度ポリエチレンの層（１５）、および前記のエチレン（メタ）アクリル酸共重合体またはその他の酸重合体の層（１６）が、前記のアルミニウムのガスバリヤー層（１４）の上への同時押出被覆によって、前記のアルミニウムのガスバリヤー層（１４）と耐久的に接合されることを特徴とする前記方法。
【請求項２１】
請求項１〜８のいずれか一項の包装用積層物（２０）を製造する方法であって、前記のポリプロピレンを基材としたヒートシール性の層（１２）と前記の線状低密度ポリエチレンの層（１５）とを含む予め製造されたフィルム（１０）が、前記のエチレン（メタ）アクリル酸共重合体またはその他の酸重合体の層（１６）によって被覆された前記のアルミニウムのガスバリヤー層（１４）と耐久的に接合されることを特徴とする前記方法。
【発明の詳細な説明】
【技術分野】
【０００１】
本発明は食品の包装容器向きの包装用積層物（ｐａｃｋａｇｉｎｇ  ｌａｍｉｎａｔｅ）に関し、この包装用積層物はポリプロピレンを基材としたヒートシール性の外層と、紙または板紙を基材とした本体層と、アルミニウムのガスバリヤー層と、ポリプロピレンを基材としたヒートシール性の内層を含む内側とを含む。本発明はまた、包装用積層物の内側を形成することを意図したフィルム、包装用積層物の製法、および包装用積層物から形成された包装容器に関する。かかる包装は容器本体にヒートシールされているプラスチックトップを有するタイプのものであってもよく、プラスチックトップは好ましくは、ポリプロピレンを基材とした外層および開口装置を有する。代わりに、包装容器は前記包装用積層物からレンガ形状に折畳み成形されてもよく、食品を熱間充填（ｈｏｔ−ｆｉｌｌｅｄ）され、そして封止される。
【背景技術】
【０００２】
ＷＯ２００３ＳＥ０１７９３号明細書には、誘導によるヒートシールを使用する一つのタイプの液体食品向き包装容器が記載されている。この包装容器は互いにヒートシールされ第一と第二の容器パーツからなる。第一のパーツは管状の形状のものであり、それは、熱可塑性樹脂をコートされ紙または板紙のコア層と少なくとも１層のアルミ箔を有する包装材料のシートから形成されている。そのシートの相対する２端間に第一のシールオーバーラップ接合部を有する。開口装置を有するプラスチックトップからなる第二のパーツが、第二のオーバーラップ接合部によって、第一のパーツにシールされる。
【０００３】
上に記載したタイプの包装用積層物から形成された包装容器のもう一つのタイプは、たとえば、国際特許出願ＷＯ９７／０２１４０号明細書から既知である。たとえば、従来の包装用積層物の平坦に折畳まれた管状包装ブランクから、熱間充填可能な包装容器が製造されるのであるが、そこでは、まず、包装ブランクを起立させて開いた管状の包装カートンにし、そして、実質的に平面状の底面（または上面）クロージャーを形成するために包装カートンの連続した折畳み可能末端パネルの折畳み成形とヒートシールとによって包装カートンをその一端で封止する。この底面（または上面）を付与された包装カートンはその開放端から、関連内容物たとえば食物を、滅菌条件下（少なくとも８０℃で、１００℃未満）で熱間充填される。その後、開放端は、実質的に平面状の上面（または底面）クロージャーを形成するために包装カートンの対応末端パネルの更なる折畳み成形とヒートシールとによって封止される。
【０００４】
上記タイプの包装容器のいずれにおいても、酸性食品、たとえば、酢酸やその他のある種の酸を含有する又はその中に漬けられた食品、または貯蔵中に遊離脂肪酸を放出する食品、特に、柑橘もしくはパイナップル果汁、トマト種の食品、または油質の食品の場合、の包装に関連して、問題が起こるであろう。以後、かかる化合物は、酢酸のような酸であるか又は食品から放出された遊離脂肪酸であるかに関係なく酸性化合物として表示される。かかる酸性化合物は包装用積層物の内側に浸透し得るがアルミニウムのガスバリヤー層には浸透し得ないことが明らかになっている。従って、それらはアルミニウム箔の隣に上昇濃度で蓄積し、そして若干の時間および増大した蓄積の後には、それらはアルミニウム箔とポリプロピレンを基材とした液密性内層との間の密着にマイナスの影響を与える。最悪の場合、密着の完全喪失の危険があり、結果として、内側の層が包装容器の内側のゆるんだ袋になってしまう。
【発明の開示】
【発明が解決しようとする課題】
【０００５】
本発明の目的は、上記問題を軽減または解消する、包装用積層物、かかる包装用積層物のためのフィルム、および包装容器を提供することである。
【課題を解決するための手段】
【０００６】
これら及びその他の目的は下記のものによって達成される：
ポリプロピレンを基材としたヒートシール性の外層と、紙または板紙を基材とした本体層と、アルミニウムのガスバリヤー層と、ポリプロピレンを基材としたヒートシール性の内層を含む内側とを含む、食品包装容器向きの包装用積層物であって、この包装用積層物の中では、前記のポリプロピレンを基材としたヒートシール性の内層が、線状低密度ポリエチレンとエチレン（メタ）アクリル酸共重合体またはその他の酸重合体の複数中間層によって、前記のアルミニウムのガスバリヤー層に結合されており、前記のエチレン（メタ）アクリル酸共重合体またはその他の酸重合体が前記のアルミニウムのガスバリヤー層に直接に結合されている、前記包装用積層物。
【０００７】
また、下記のものによって達成される：
ポリプロピレンを基材としたヒートシール性の外層と紙または板紙を基材とした本体層とアルミニウムのガスバリヤー層とを含む食品包装容器向き包装用積層物の内側を形成することを意図したフィルムであって、このフィルムの中では順にポリプロピレンを基材としたヒートシール性の層に直接に結合されている線状低密度ポリエチレンの層にエチレン（メタ）アクリル酸共重合体またはその他の酸重合体の層が直接に結合されている、前記フィルム。
【０００８】
「エチレン（メタ）アクリル酸共重合体またはその他の酸重合体」によって意味するところは、エチレンアクリル酸共重合体、エチレンメタクリル酸共重合体、または或る種のその他の酸重合体である。かかる（メタ）アクリル酸共重合体またはその他の酸重合体の層が包装用積層物の中のアルミニウムのガスバリヤー層に直接に結合されていることによって、たとえ酸性化合物が存在しても、非常に高レベルの密着がアルミニウムのガスバリヤー層に付与される。
【０００９】
本発明の好ましい態様によれば、前記線状低密度ポリエチレンはエンハンスド線状低密度ポリエチレン（ｅｎｈａｎｃｅｄ  ｌｉｎｅａｒ  ｌｏｗ  ｄｅｎｓｉｔｙ  ｐｏｌｙｅｔｈｙｌｅｎｅ）およびメタロセン線状低密度ポリエチレン（ｍｅｔａｌｌｏｃｅｎｅ  ｌｉｎｅａｒ  ｌｏｗ  ｄｅｎｓｉｔｙ  ｐｏｌｙｅｔｈｙｌｅｎｅ）から選ばれる。
【００１０】
「エンハンスド線状低密度ポリエチレン」によって意味するところは、たとえば、ダウ（Ｄｏｗ）によってエンハンスドポリエチレンと称されているもの、たとえば、ダウによるＥＬＩＴＥ５４００Ｇ、である。
【００１１】
グレード「メタロセン線状低密度ポリエチレン」によって意味するところのものは、当業者には周知である。
【００１２】
線状低密度ポリエチレンの層は、エチレン（メタ）アクリル酸共重合体またはその他の酸重合体の層に対しても、そしてポリプロピレンを基材としたヒートシール性の外層に対しても、非常に高レベルの密着を付与する。それ故に、形成される内側は、食物との接触、ヒートシール適性、等々に対する要件を満たすばかりでなく、酸性化合物の中に漬けられた又は酸性化合物を放出する食品の場合においてさえ、密着要件を満たす。
【００１３】
（発明の詳細）
本発明の包装用積層物およびフィルムの一つの局面によれば、線状低密度ポリエチレンの層はポリプロピレンを基材としたヒートシール性の内層に直接に結合されている。本発明の好ましい態様においては、線状低密度ポリエチレンの層はまた、そのもう一方の側が、エチレン（メタ）アクリル酸共重合体またはその他の酸重合体の層に直接に結合されている。
【００１４】
本発明の別の局面によれば、エチレン（メタ）アクリル酸共重合体またはその他の酸重合体の層は厚さが２〜２０μｍ、好ましくは３〜１２μｍ、より好ましくは４〜８μｍである。
【００１５】
同時に、エチレン（メタ）アクリル酸共重合体またはその他の酸重合体の層と、線状低密度ポリエチレンの層と、ポリプロピレンを基材としたヒートシール性の内層との全厚は１０〜１００μｍ、好ましくは１５〜６０μｍ、より好ましくは２０〜４０μｍである。この全厚の１０〜７０％、好ましくは１５〜６０％、より好ましくは２５〜５０％が、前記のポリプロピレンを基材としたヒートシール性の内層によって構成されている。適切には、ポリプロピレンを基材としたヒートシール性の内層は、タイ層（ｔｉｅ  ｌａｙｅｒ）を使用することが想定可能であるけれども、タイ層を使用することなく良好な密着を線状低密度ポリエチレンの層に付与するグレードのものである。
【００１６】
本発明の包装容器は上記に従う包装用積層物から形成された容器本体を有する。
【００１７】
包装容器の第一の態様は容器本体にヒートシールされたプラスチックトップを有し、プラスチックトップは好ましくは、ポリプロピレンを基材とした外層および開口装置を有している。
【００１８】
包装容器の第二の態様は包装用積層物からレンガ形状に折畳み成形され、食品を熱間充填され、そして封止される。
【００１９】
好ましくは、本発明の包装容器は無菌状態であり、好ましくは滅菌によって無菌である。
【００２０】
本発明の包装用積層物の製造方法の第一の態様においては、ポリプロピレンを基材としたヒートシール性の層と線状低密度ポリエチレンの層とエチレン（メタ）アクリル酸共重合体またはその他の酸重合体の層とを含む予め製造されたフィルムが、アルミニウムのガスバリヤー層に耐久的に接合される。好ましくは、該フィルムは、紙または板紙を基材とした本体層が中間ラミネート層の押出によってアルミニウムのガスバリヤー層に接合されるのと同じニップの中で、アルミニウムのガスバリヤー層に接合される。代替においては、該フィルムは後続ニップの中で、アルミニウムのガスバリヤー層と接合される。
【００２１】
本発明の包装用積層物の製造方法の第二の態様においては、ポリプロピレンを基材としたヒートシール性の層、線状低密度ポリエチレンの層、およびエチレン（メタ）アクリル酸共重合体またはその他の酸重合体の層が、アルミニウムのガスバリヤー層の上への同時押出被覆によって、アルミニウムのガスバリヤー層と耐久的に接合される。
【００２２】
本発明の包装用積層物の製造方法の第三の態様においては、ポリプロピレンを基材としたヒートシール性の層と線状低密度ポリエチレンの層とを含む予め製造されたフィルムが、エチレン（メタ）アクリル酸共重合体またはその他の酸重合体の層によって既に被覆されているアルミニウムのガスバリヤー層と耐久的に接合される。
【００２３】
次に、本発明を、一つの好ましい態様をもって、そして図面を参照して、更に詳細に以下説明する。
【００２４】
（好ましい態様）
本発明の好ましい態様によれば、フィルム１０は、３層、すなわち、ポリプロピレンを基材としたヒートシール性の内層１２と、メタロセン線状低密度ポリエチレンの中間層と、エチレン（メタ）アクリル酸共重合体またはその他の酸重合体の層１６、から構成されている。フィルムは同時押出ブローされてもよいし又は同時押出キャストされてもよく、そして重合体のグレードは製造方法に適合するように選択される。
【００２５】
ポリプロピレンを基材としたヒートシール性の内層１２が「インナー」と呼ばれるのは、前記フィルムを含む包装容器の内側を形成することを意図しているからである、すなわち、包装容器の内側で食品と接することを意図しているからである。ポリプロピレンを基材としたヒートシール性の内層１２は数層（場合によっては、異なるグレードの）の同時押出パーツ層（図示されてない）から形成されていてもよく、そして好ましい態様においては、それは１０μｍの厚さを有する。
【００２６】
ポリプロピレンを基材としたヒートシール性の内層１２は直接に、すなわち、好ましくはタイ層無しに、メタロセン線状低密度ポリエチレンの層１５に結合されている。この好ましい態様においては、メタロセン線状低密度ポリエチレンの層１５は９μｍの厚さを有するメタロセン線状低密度ポリエチレン（ｍ−ＬＬＤＰＥ）の層１５である。
【００２７】
メタロセン線状低密度ポリエチレンの層１５は転じて、直接に、エチレン（メタ）アクリル酸共重合体またはその他の酸重合体の層１６に結合されている。この好ましい態様においては、エチレン（メタ）アクリル酸共重合体またはその他の酸重合体の層１６は６μｍの厚さを有するエチレン（メタ）アクリル酸共重合体またはその他の酸重合体の層１６である。それは包装用積層物の中のアルミニウムのガスバリヤー層に直接に結合されることを意図されている。
【００２８】
図２は本発明の好ましい態様による、かかる包装用積層物２０を示している。包装用積層物２０の内側は図１に示されているフィルム１０から形成されている。フィルム１０は、ニップの中で、アルミニウムのガスバリヤー層１４に貼り合わされたのであるが、それは、好ましくは、紙または板紙を基材とした本体層１１が、ポリエチレンまたはポリプロピレンを基材としてもよい中間ラミネート層１７の手段によって、アルミニウムのガスバリヤー層１４に貼り合わされるのと同時に、行われる。たとえば、かかるポリエチレンの中間ラミネート層は高密度ポリエチレンまたは中密度ポリエチレンまたは低密度ポリエチレンから成ってもよい。別の例においては、かかるポリプロピレン系中間ラミネート層はポリプロピレン、またはグラフトポリプロピレン、またはポリプロピレンとグラフトポリプロピレンの同時押出のような組合せ、から成ってもよい。代わりの態様においては、内側１２、１５、１６は、直接に、アルミニウムのガスバリヤー層１４の上に（同時）押出被覆される。
【００２９】
ポリプロピレンを基材としたヒートシール性の外層１３は包装用積層物２０の外側を形成している。包装用積層物の多数のバリエーションが想定可能であるけれども、いずれも、それらが板紙の本体層とアルミニウムのガスバリヤー層と外側に面しているポリプロピレンを基材とした表面を有しているということが共通している。
【００３０】
図３は図２に示された包装用積層物２０から形成された第一の態様の包装容器３０を示しており、その包装容器３０は縦方向および横方向のシール３３ａ、３３ｂを有しており、そして食品を熱間充填されている。それは寸法安定性の平行六面体の包装容器によって構成されている。場合によっては、包装容器は開口装置３４を有してもよいし、又は簡単に穿孔引裂開封（図示されてない）であってもよい。
【００３１】
図４は第二の態様の包装容器４０を示している。縦方向シール４２を有するスリーブまたは容器本体を形成している包装用積層物２０の上端の内側にプラスチックトップ４４がヒートシール４８されている。プラスチックトップ４４は開口装置４６を提供している。好ましい態様においては、プラスチックトップはその内側から外へと見たときに次のような断面構造を有している：ＰＰ／接着剤／ＥＶＯＨ／接着剤／ＰＰ。多数のバリエーションが想定可能であるけれども、いずれも、それらの外側に面する表面がＰＰであるということが共通している。充填後、スリーブまたは容器本体の底部は折畳み成形され、そしてシールされて平面状の底を形成する。
【００３２】
結論として、特に図面を参照して以上記載してきた本発明は専ら例として記述し示したこれら態様に限定されるものではないということ、及び特許請求の範囲に開示されている通りの発明の概念から逸脱することなく当業者に明らかな変更や変形が可能であるということは、認められるはずである。
【図面の簡単な説明】
【００３３】
【図１】本発明の包装用積層物のための本発明の好ましいフィルムの構造の断面図を示す。
【図２】本発明の好ましい包装用積層物の構造の断面図を示す。
【図３】本発明の包装容器の第一の態様を示す。
【図４】本発明の包装容器の第二の態様を示す。
【符号の説明】
【００３４】
１０  包装用積層物の内側を形成することを意図したフィルム
１１  紙または板紙を基材とした本体層
１２  ポリプロピレンを基材としたヒートシール性の内層
１３  ポリプロピレンを基材としたヒートシール性の外層
１４  アルミニウムのガスバリヤー層
１５  線状低密度ポリエチレンの層
１６  エチレン（メタ）アクリル酸共重合体またはその他の酸重合体の層
１７  中間ラミネート層
２０  包装用積層物
３０  包装容器の第一の態様
３３ａ  縦方向シール
３３ｂ  横方向シール
３４  開口装置
４０  包装容器の第二の態様
４２  縦方向シール
４４  プラスチックトップ
４６  開口装置
４８  ヒートシール部
【図１】
2008525224.tif 000003
【図２】
2008525224.tif 000004
【図３】
2008525224.tif 000005
【図４】
2008525224.tif 000006
【国際調査報告】
2008525224.tif 000007
2008525224.tif 000008
2008525224.tif 000009
2008525224.tif 000010